(57)【要約】【課題】二重床の沈み込みに天井が追従し、間仕切り壁の上端と天井との間に隙間が生じたり、天井と間仕切り壁との間でクロス切れが生じたりしない。【解決手段】スラブ１上に弾性部２を有する支持脚３を介して床４を載設して二重床を構成する。この二重床の床４上に間仕切り壁５を立設する。スラブ１の下方に天井７を上下動可能に配設して二重天井を構成する。上記間仕切り壁５の上端部を天井７に固着する。【選択図】　　　　図１
2004027619.tif 000002
【特許請求の範囲】
【請求項１】
スラブ上に弾性部を有する支持脚を介して床を載設して二重床を構成し、この二重床の床上に間仕切り壁を立設し、スラブの下方に天井を上下動可能に配設して二重天井を構成し、上記間仕切り壁の上端部を天井に固着して成ることを特徴とする二重床追従の天井構造。
【請求項２】
スラブから吊り材により天井を吊下げ保持し、吊り材又は吊り材と天井との接合部分に弾性体を介在させて吊り材に対して天井を上下動可能として成ることを特徴とする請求項１記載の二重床追従の天井構造。
【請求項３】
天井の下地材が弾性を有していることを特徴とする請求項１又は請求項２記載の二重床追従の天井構造。
【発明の詳細な説明】
【０００１】
【発明の属する技術分野】
本発明は、床振動を吸収するようにした二重床の沈み込みに対して天井が追従するようにした二重床追従の天井構造に関するものである。
【０００２】
【従来の技術】
従来から図９に示すように、スラブ１に支持脚３を介して床４を載設する二重床が知られている。このものにおいて、上階の振動が下階に伝わらないように更に支持脚３にゴムのような弾性部２を設け、床４の上を人が歩行したり、物が落下したりした場合には弾性部２により振動を吸収するようにしている。
【０００３】
また、従来、天井７として上階のスラブ１から吊り材８を垂下し、この吊り材８に天井７を固着して吊り下げることで二重天井を構成しているものが知られている。
【０００４】
そして、上記二重床と、二重天井を有するものにおいて、間仕切り壁５を形成する場合、間仕切り壁５は下端部を二重床の床４に固定して立設しており、間仕切り壁５の上端部は二重床の天井７に固定している。ここで従来から吊り材８に天井７を固定して吊り下げる固着力は天井７を吊り下げる必要上強固に行われており、間仕切り壁５の上端部の天井７への固着力よりもはるかに強い。
【０００５】
ところで、弾性部２を有する支持脚３で床４を支持した二重床においては、上から荷重Ｐがかかると弾性部２が圧縮されて縮むため床４が沈み込むことになる。このため、図１０に示すように間仕切り壁５の近くの床４上に家具Ｋなどを設置したりして大きな荷重Ｐがかかると、間仕切り壁５付近の床４が下方に沈み込み、この場合、間仕切り壁５が床４に追従して下方に移動しようとするが、上記のように天井７を吊り材８によりスラブ１から強固に吊り下げているため、間仕切り壁５の上端部と天井７との接続部分が離れ、天井７と間仕切り壁５との間に隙間ができたり、天井７と間仕切り壁５との間でクロス切れが生じたりするという問題がある。
【０００６】
このため、間仕切り壁５の直下においては弾性部２を有さない補強用支持脚で床４を支持することで間仕切り壁５が沈み込まないようにすることも考えられるが、これだと、二重床の施工に当たって、弾性部２を有する支持脚３と弾性部２を有さない補強用支持脚とを用意し、これを決められた箇所にそれぞれ分類して間違いなく設置する必要があり、施工に手間がかかると共に、施工後に改装などで間仕切り壁５の位置を変更しようとしても補強用支持脚の位置が特定されているため、二重床をそのままにした状態での間取り変更が困難になるという問題がある。
【０００７】
【発明が解決しようとする課題】
本発明は上記の点に鑑みてなされたものであり、二重床の沈み込みに天井が追従し、間仕切り壁の上端と天井との間に隙間が生じたり、天井と間仕切り壁との間でクロス切れが生じたりせず、また、間仕切り壁の直下を補強用支持脚で補強する必要がない二重床追従の天井構造を提供することを課題とするものである。
【０００８】
【課題を解決するための手段】
上記課題を解決するために本発明に係る二重床追従の天井構造は、スラブ１上に弾性部２を有する支持脚３を介して床４を載設して二重床を構成し、この二重床の床４上に間仕切り壁５を立設し、スラブ１の下方に天井７を上下動可能に配設して二重天井を構成し、上記間仕切り壁５の上端部を天井７に固着して成ることを特徴とするものである。このような構成とすることで、間仕切り壁５の近くの床４上に大きな荷重Ｐがかかって床４が沈んで間仕切り壁５が下方に移動した場合、間仕切り壁５の上端部に固着した上下動可能な天井７が間仕切り壁５に追従して下方に移動するものである。
【０００９】
また、スラブ１から吊り材８により天井７を吊下げ保持し、吊り材８又は吊り材８と天井７との接合部分に弾性体９を介在させて吊り材８に対して天井７を上下動可能とすることが好ましい。このように、吊り材８又は吊り材８と天井７との接合部分に弾性体９を介在させるという構成を採用することで簡単に天井７を二重床における床４の沈み込みに対して追従させることができるものである。
【００１０】
また、天井７の下地材１０が弾性を有していることが好ましい。このように、天井７の下地材１０が弾性を有している構成とすることで簡単に天井７を二重床における床４の沈み込みに対して追従させることができるものである。
【００１１】
【発明の実施の形態】
以下、本発明を添付図面に示す実施形態に基づいて説明する。
【００１２】
スラブ１上に弾性部２を有する支持脚３を介して床４を載設して二重床を構成してある。支持脚３は例えば図３に示すようなもので、下端部に座１７を有する高さ調整自在な金属製の脚部１１の上端部に金属製の上プレート１２を設け、この上プレート１２にゴム製の弾性を有する弾性部２の下部を取付け、弾性部２の上部に木製の床受け材１３を取付けて構成してあり、このような構成の支持脚３はスラブ１上に任意の間隔で設置され座１７部分をスラブ１に固着するものである。
【００１３】
支持脚３に載設される床４は図２に示すように木製の床下地材６と、防振マット１４と、床材１５とで構成してあり、弾性部２に床下地材６を載置して弾性部２に取付けた木製の床受け材１３床下地材６を釘等の固着具により固着し、床下地材６の上に防振マット１４を介して床材１５を固着してある。
【００１４】
本発明においては上階のスラブ１の下面自体を天井とするものではなく、上階のスラブ１の下方には隙間を介して天井７を配設した二重天井であり、図１に示す実施形態においては、上階のスラブ１から吊り材８により天井７を吊り下げて二重天井を構成してある。また、天井７は下地材１０と下地材１０の下面に釘打ち等により固着される天井材１６とで構成してある。吊り材８の下端には図４、図５に示すように逆Ｌ状をした連結金具２６の上横片が固着してあり、この連結金具２６の縦片にゴムよりなる弾性体９の片面が接着剤によりあらかじめ固着してあり、弾性体９の他の片面に天井７の下地材１０がねじ止めなどで固着してある。なお、図４，図５に示す実施形態においては天井７の下地材１０は金属フレームにより構成してあるが、木製であってもよいものである。
【００１５】
間仕切り壁５は上記のような二重床における床４の任意の位置に立設して間仕切り壁５の下端部をビス止めなどにより床４に固着し、更に、間仕切り壁５の上端部を上記二重天井における天井７に図４のようにビス止めなどにより固着するものである。ここで、間仕切り壁５の床４への立設位置は弾性部２を有する支持脚３の位置に制約を受けないものであって、支持脚３のある位置、支持脚３の無い位置の上に間仕切り壁５を立設することができる。
【００１６】
しかして、間仕切り壁５の近くの床４上に家具Ｋなどの重量物を載置して大きな荷重Ｐがかかると間仕切り壁５の直下に弾性部２を有する支持脚３が無い場合はだけでなく弾性部２を有する支持脚３がある場合も床４の間仕切り壁５を立設した部分が図６のように沈み込む（弾性部２を有する支持脚３が間仕切り壁５の直下にある場合は弾性部２が圧縮することで床４が沈み込む）。この床４の沈み込みにより間仕切り壁５が下方に追従して移動するが、更に、間仕切り壁５の下方への移動の力が天井７に作用すると、弾性体９が弾性変形してこれにより間仕切り壁５の上部の天井７部分が追従して下方に移動するものである。
【００１７】
これにより二重床における床４が沈み込んで間仕切り壁５が下降しても間仕切り壁５の上端と天井７との間に隙間ができたり、あるいは間仕切り壁５と天井７との間においてクロス切れ等が生じないようにできるものである。
【００１８】
また、間仕切り壁５の近くの床４に載置した家具Ｋなどの重量物を除けた場合、弾性部２が弾性復帰して沈み込んだ床４が上昇して元の状態に戻るが、この場合、間仕切り壁５が上昇し、更に、間仕切り壁５により押し上げられるとともに弾性体９が弾性復帰して天井７が上昇して元の位置に戻るものである。
【００１９】
次に、本発明の他の実施形態につき説明する。上記の実施形態ではスラブ１から垂設した吊り材８と天井７の下地材１０との接合部分において弾性体９を介在させて天井７を吊り材８に吊り下げ支持した例を示したが、図７に示す実施形態においては、吊り材８を上吊り材１８と下吊り材１９とに分割し、上吊り材１８と下吊り材１９との間にゴムのような弾性体９を介在させてある。すなわち、図７に示すように下吊り材１９の上端部の上横片２０を上吊り材１８の下横片２１の上方に位置させ、上記下横片２１と上横片２０との間に弾性体９を介在させると共に、上吊り材１８の下端部の下横片２１の下面側にも弾性体９を設け、両弾性体９と上横片２０、下横片２１とに連通する孔２２を設け、該孔２２に下の弾性体９から上横片２０にかけてボルト２３を通してナット２４により接合してあり、この場合、孔２２はボルト２３よりも大径でボルト２３を挿入してもボルト２３の外周との間に遊びがあるように設定してある。ここで、弾性体９は上横片２０や下横片２１に接着してあってもよい。上記のような構成の吊り材８は上吊り材１８の上端部を上階のスラブ１の下面に固着し、下吊り材１８の下端部を天井７の下地材１０に固着するものである。
【００２０】
したがって、本実施形態においては、天井７は二重床における床４の沈みこみにより前述のように間仕切り壁５が下降して天井７に対して下方への力が作用すると上記上吊り材１８と下吊り材１９との間に介在した弾性体９が圧縮変形して天井７が下方に移動し、これにより、二重床における床４が沈み込んで間仕切り壁５が下降しても間仕切り壁５の上端と天井７との間に隙間ができたり、あるいは間仕切り壁５と天井７との間においてクロス切れ等が生じないようにできるものである。
【００２１】
本実施形態においても、間仕切り壁５の近くの床４に載置した家具Ｋなどの重量物を除けた場合、弾性部２が弾性復帰して沈み込んだ床４が上昇して元の状態に戻るが、この場合、間仕切り壁５が上昇し、更に、間仕切り壁５により押し上げられるとともに弾性体９が弾性復帰して天井７が上昇して元の位置に戻るものである。
【００２２】
次に、図８に基づいて本発明の更に他の実施形態につき説明する。本実施形態においては、天井７の下地材１０自体を弾性のあるもので構成している。すなわち、上階のスラブ１の下面自体を天井とするものではなく、上階のスラブ１の下方には隙間を介して天井７を配設した二重天井を形成するに当たって、本実施形態においては、天井７の下地材１０を細長い木材又は薄い金属フレームにより構成し、細長い下地材１０の両端部を建物躯体の対向する壁３０に取付けてあって、細長い木材又は薄い金属フレーム製の下地材１０は両端部を壁３０に取付け支持した状態でその材料の特性により図８の矢印で示すように上下方向に撓むことができる弾性を備えている。天井材１６は上記のように上下方向に撓むことができる下地材１０の下面に釘打ち等により固着されるものである。
【００２３】
したがって、本実施形態においては、天井７は二重床における床４の沈みこみにより前述のように間仕切り壁５が下降して天井７に対して下方への力が作用すると上記天井７の下地材１０が下方に撓んで天井７が下方に移動し、これにより、二重床における床４が沈み込んで間仕切り壁５が下降しても間仕切り壁５の上端と天井７との間に隙間ができたり、あるいは間仕切り壁５と天井７との間においてクロス切れ等が生じないようにできるものである。
【００２４】
本実施形態においても、間仕切り壁５の近くの床４に載置した家具Ｋなどの重量物を除けた場合、弾性部２が弾性復帰して沈み込んだ床４が上昇して元の状態に戻るが、この場合、間仕切り壁５が上昇し、更に、間仕切り壁５により押し上げられるとともに弾性を有する下地材１０が弾性復帰して天井７が元の位置に戻るものである。
【００２５】
本発明においては上記した各実施形態に示すように、二重床における床４の沈み込みに天井７が追従するので、従来のように間仕切り壁５の直下において弾性部２を有さない補強支持脚で床４を支持する必要がなく、弾性部２を備えた支持脚３のみで床４を支持することができ、支持脚３として弾性部２を備えたもの一種でよく、防音性能を高めながら二重床の施工が極めて簡単となるものであり、また、間仕切り壁５の直下には弾性部２を備えた支持脚３が位置しても位置しなくても上記のように二重床における床４の沈み込みに天井７が追従できるので、後に間取りの変更をするために間仕切り壁５の位置を変える場合に、二重床はそのままの状態で残して間仕切り壁５のみの位置変更をすることができるものである。
【００２６】
なお、図示を省略しているが、図４、図７のように吊り材８又は吊り材８と天井７との接合部分に弾性体９を介在させたものにおいて、天井７の下地材１０を細長い木材や薄い金属フレーム製の弾性を有するものとしてもよいものであり、この場合には、二重床における床４の沈み込みに弾性体９及び弾性を有する下地材１０がそれぞれ弾性変形して天井７が追従して下降するものであって、より効果的に追従できるものである。
【００２７】
【発明の効果】
上記のように本発明の請求項１記載の発明にあっては、スラブ上に弾性部を有する支持脚を介して床を載設して二重床を構成し、この二重床の床上に間仕切り壁を立設し、スラブの下方に天井を上下動可能に配設して二重天井を構成し、上記間仕切り壁の上端部を天井に固着してあるので、間仕切り壁の近くの床上に大きな荷重がかかって床が沈んで間仕切り壁が下方に移動した場合、間仕切り壁の上端部に固着した上下動可能な天井が間仕切り壁に追従して下方に移動し、これにより間仕切り壁の上端と天井との間に隙間が生じたり、間仕切り壁の上端と天井との間でクロス切れが生じたりしないものである。
【００２８】
また、請求項２記載の発明にあっては、上記請求項１記載の発明の効果に加えて、スラブから吊り材により天井を吊下げ保持し、吊り材又は吊り材と天井との接合部分に弾性体を介在させて吊り材に対して天井を上下動可能としてあるので、吊り材又は吊り材と天井との接合部分に弾性体を介在させるという構成を採用することで簡単に天井を二重床における床の沈み込みに対して追従させることができるものである。
【００２９】
また、請求項３記載の発明にあっては、上記請求項１又は請求項２記載の発明の効果に加えて、天井の下地材が弾性を有しているので、天井の下地材が弾性を有している構成とすることで簡単に天井を二重床における床の沈み込みに対して追従させることができるものである。
【図面の簡単な説明】
【図１】本発明の一実施形態の概略断面図である。
【図２】同上の二重床部分の拡大断面図である。
【図３】同上に使用する弾性部を備えた支持脚の分解斜視図である。
【図４】同上の二重天井部分の拡大断面図である。
【図５】同上の弾性体部分の斜視図である。
【図６】同上の二重床における床が沈んで天井が追従して下がった状態を示す説明図である。
【図７】本発明の他の実施形態の二重天井部分の拡大断面図である。
【図８】本発明の更に他の実施形態の二重天井部分の拡大断面図である。
【図９】従来例の断面図である。
【図１０】従来例において二重床における床が沈んで天井が追従して下がった状態を示す説明図である。
【符号の説明】
１　スラブ
２　弾性部
３　支持脚
４　床
５　間仕切り壁
７　天井
８　吊り材
９　弾性体
１０　下地材
【図１】
2004027619.tif 000003
【図２】
2004027619.tif 000004
【図３】
2004027619.tif 000005
【図４】
2004027619.tif 000006
【図５】
2004027619.tif 000007
【図６】
2004027619.tif 000008
【図７】
2004027619.tif 000009
【図８】
2004027619.tif 000010
【図９】
2004027619.tif 000011
【図１０】
2004027619.tif 000012